(57)【要約】【課題】表面加工の工程を煩雑にすることなく、デザインバリエーションを拡大する。【解決手段】腕時計１は、螺子５０Ｌ、５０Ｃ、５０Ｒが螺合される螺子溝１１１ａ，１１１ｃ，１１１ｅを背面に有する外装ケース１０と、螺子５０Ｌ、５０Ｃ、５０Ｒが挿通される貫通孔２１１ａ、２１１ｃ、２１１ｅを有する装着バンド２０と、螺子５０Ｌ、５０Ｃ、５０Ｒが挿通される貫通孔３１５ａ、３１５ｂ、３１５ｃを有し、外装ケース１０と共に外装の一部を構成すると共に、螺子５０Ｌ、５０Ｃ、５０Ｒにより外装ケース１０と装着バンド２０との間で共締めされる介在部材３０と、を有する。【選択図】図３
2020191941.tif 000002
【特許請求の範囲】
【請求項１】
螺子が螺合される螺子溝を背面に有する外装ケースと、
前記螺子が挿通される第１の貫通孔を有する装着バンドと、
前記螺子が挿通される第２の貫通孔を有し、前記外装ケースと共に外装の一部を構成すると共に、前記螺子により前記外装ケースと前記装着バンドとの間で共締めされる介在部材と、
を有する腕時計。
【請求項２】
前記介在部材は、少なくとも１以上の第１の柱を有し、
前記外装ケースは、前記第１の柱が嵌められる第１の有底溝を有する、
請求項１に記載の腕時計。
【請求項３】
前記介在部材又は前記装着バンドのいずれか一方は、少なくとも１以上の第２の柱を有し、
前記介在部材又は前記装着バンドのいずれか他方は、前記第２の柱が嵌められる第２の有底溝を有する、
請求項１又は２に記載の腕時計。
【請求項４】
前記介在部材は、少なくとも１以上の第１の柱を有し、
前記外装ケースは、前記第１の柱が嵌められる第１の有底溝を有し、
前記介在部材又は前記装着バンドのいずれか一方は、少なくとも１以上の第２の柱を有し、
前記介在部材又は前記装着バンドのいずれか他方は、前記第２の柱が嵌められる第２の有底溝を有し、
前記第１の有底溝の開口面の面積は、前記第２の有底溝の開口面の面積よりも小さい、
請求項１に記載の腕時計。
【請求項５】
前記装着バンドは、金属部品を含み、
前記第１の貫通孔及び前記第２の有底溝は、前記金属部品に形成されている、
請求項３又は４に記載の腕時計。
【請求項６】
前記第２の有底溝は、前記第２の貫通孔よりも前記装着バンドの先端側に形成されている、
請求項３〜５のいずれか１項に記載の腕時計。
【請求項７】
前記第１の有底溝の開口面の面積は、前記螺子溝の開口面の面積よりも大きい、
請求項２又は４に記載の腕時計。
【請求項８】
前記装着バンドは、弾性材料から成るバンド部を含む、
請求項１〜７のいずれか１項に記載の腕時計。
【請求項９】
前記外装ケースは、正面視において下方に突出すると共に、前記介在部材が取り付けられる第１の取り付け部を有し、
前記介在部材は、正面視において前記第１の取り付け部を挟むように起立すると共に、前記外装ケースと共に外装の一部を構成する外装面を有する第１の起立部を含む、
請求項１〜８のいずれか１項に記載の腕時計。
【請求項１０】
前記外装ケースの表面と、前記外装面とは表面状態が異なる、
請求項９に記載の腕時計。
【請求項１１】
前記装着バンドは、正面視において上方に突出すると共に、前記介在部材が取り付けられる第２の取り付け部を有し、
前記介在部材は、背面視において前記第２の取り付け部を挟むように起立する第２の起立部を含む、
請求項１〜１０のいずれか１項に記載の腕時計。
【発明の詳細な説明】
【技術分野】
【０００１】
本発明は、腕時計に関する。
【背景技術】
【０００２】
例えば、特許文献１には、胴と一体に形成される先カンにバンドが取り付けられる腕時計が開示されている。
【先行技術文献】
【特許文献】
【０００３】
【特許文献１】実開昭５７−０３７３１０号公報
【発明の概要】
【発明が解決しようとする課題】
【０００４】
ここで、腕時計においては、胴や先カンの表面を加工することで質感や色などを施すことにより、デザインバリエーションを拡大することが行われている。領域毎に異なる質感や色などを施す場合、表面加工を行う領域以外の領域にマスクを配置した状態で表面加工を行うこととなる。この場合、表面加工の工程が煩雑になってしまい、また、表面状態を奇麗に仕上げることが困難である。
【０００５】
本発明は上記課題に鑑みてなされたものであって、その目的は、表面加工の工程を煩雑にすることなく、デザインバリエーションを拡大することにある。
【課題を解決するための手段】
【０００６】
上記課題を解決すべく本出願において開示される発明は種々の側面を有しており、それら側面の代表的なものの概要は以下の通りである。
【０００７】
（１）螺子が螺合される螺子溝を背面に有する外装ケースと、前記螺子が挿通される第１の貫通孔を有する装着バンドと、前記螺子が挿通される第２の貫通孔を有し、前記外装ケースと共に外装の一部を構成すると共に、前記螺子により前記外装ケースと前記装着バンドとの間で共締めされる介在部材と、を有する腕時計。
【０００８】
（２）（１）において、前記介在部材は、少なくとも１以上の第１の柱を有し、前記外装ケースは、前記第１の柱が嵌められる第１の有底溝を有する、腕時計。
【０００９】
（３）（１）又は（２）において、前記介在部材又は前記装着バンドのいずれか一方は、少なくとも１以上の第２の柱を有し、前記介在部材又は前記装着バンドのいずれか他方は、前記第２の柱が嵌められる第２の有底溝を有する、腕時計。
【００１０】
（４）（１）において、前記介在部材は、少なくとも１以上の第１の柱を有し、前記外装ケースは、前記第１の柱が嵌められる第１の有底溝を有し、前記介在部材又は前記装着バンドのいずれか一方は、少なくとも１以上の第２の柱を有し、前記介在部材又は前記装着バンドのいずれか他方は、前記第２の柱が嵌められる第２の有底溝を有し、前記第１の有底溝の開口面の面積は、前記第２の有底溝の開口面の面積よりも小さい、腕時計。
【００１１】
（５）（３）又は（４）において、前記装着バンドは、金属部品を含み、前記第１の貫通孔及び前記第２の有底溝は、前記金属部品に形成されている、腕時計。
【００１２】
（６）（３）〜（５）のいずれかにおいて、前記第２の有底溝は、前記第２の貫通孔よりも前記装着バンドの先端側に形成されている、腕時計。
【００１３】
（７）（２）又は（４）において、前記第１の有底溝の開口面の面積は、前記螺子溝の開口面の面積よりも大きい、腕時計。
【００１４】
（８）（１）〜（７）のいずれかにおいて、前記装着バンドは、弾性材料から成るバンド部を含む、腕時計。
【００１５】
（９）（１）〜（８）のいずれかにおいて、前記外装ケースは、正面視において下方に突出すると共に、前記介在部材が取り付けられる第１の取り付け部を有し、前記介在部材は、正面視において前記第１の取り付け部を挟むように起立すると共に、前記外装ケースと共に外装の一部を構成する外装面を有する第１の起立部を含む、腕時計。
【００１６】
（１０）（９）において、前記外装ケースの表面と、前記外装面とは表面状態が異なる、腕時計。
【００１７】
（１１）（１）〜（１０）のいずれかにおいて、前記装着バンドは、正面視において上方に突出すると共に、前記介在部材が取り付けられる第２の取り付け部を有し、前記介在部材は、背面視において前記第２の取り付け部を挟むように起立する第２の起立部を含む、腕時計。
【発明の効果】
【００１８】
上記本発明の（１）〜（１１）の側面によれば、表面加工の工程を煩雑にすることなく、デザインバリエーションを拡大することができる。
【図面の簡単な説明】
【００１９】
【図１】本実施形態に係る腕時計を示す正面図である。
【図２】本実施形態に係る腕時計を示す側面図である。
【図３】正面斜めから見た外装ケース、介在部材、及び第１のバンド部を示す分解斜視図である。
【図４】背面斜めから見た外装ケース、介在部材、及び第１のバンド部を示す分解斜視図である。
【図５】介在部材を示す斜視図である。
【図６】第１のバンド部の取り付け構造を示す断面図であって、螺子を通る切断面で切り取った断面図である。
【図７】第１のバンド部の取り付け構造を示す断面図であって、柱を通る切断面で切り取った断面図である。
【図８】第１のバンド部の金属部品を示す図である。
【図９】図８のＩＸ−ＩＸ断面図である。
【発明を実施するための形態】
【００２０】
以下、本発明の実施形態（以下、本実施形態という）について図面に基づき詳細に説明する。
【００２１】
図１は、本実施形態に係る腕時計を示す正面図である。図２は、本実施形態に係る腕時計を示す側面図である。なお、図１においては、外装ケース１０内に収容される文字板の詳細等については適宜省略して示している。
【００２２】
以下の説明において、図中の矢印Ｘ１が示す方向を左方、矢印Ｘ２が示す方向を右方、矢印Ｙ１が示す方向を下方、矢印Ｙ２が示す方向を上方、矢印Ｚ１が示す方向を正面方向、矢印Ｚ２が示す方向を背面方向と定義する。すなわち、腕時計１を正面から見た場合における、１２時を示す方向が上方であり、３時を示す方向が右方であり、６時を示す方向が下方であり、９時を示す方向が左方である。
【００２３】
腕時計１は、外装ケース１０と装着バンド２０を有している。外装ケース１０は、胴１１と、胴１１に取り付けられる裏蓋１２とを含む。装着バンド２０は、外装ケース１０の下部に取り付けられる第１のバンド部２１と、外装ケース１０の上部に取り付けられる第２のバンド部２２とを含む。
【００２４】
外装ケース１０は、金属製であるとよい。ただし、これに限られるものではなく、外装ケース１０は、セラミックや樹脂等を含むものであってもよい。
【００２５】
第１のバンド部２１及び第２のバンド部２２は、例えば、弾性を有する合成ゴムを主な材料として構成されるとよい。具体的には、例えば、ウレタン樹脂、シリコン樹脂、フッ素ゴム（ＦＫＭ）、エチレンプロピレンゴム（ＥＰＤＭ）等を材料として構成されるとよい。
【００２６】
なお、図１に示した腕時計１のデザインは一例である。例えば、外装ケース１０を丸型でなく角型にしてもよいし、数や配置が任意の操作部材であるボタン等を設けてもよい。また、第１のバンド部２１と第２のバンド部２２とを所謂Ｄバックルを介して連結する構成としてもよい。
【００２７】
次に、図１〜図９を参照して、本実施形態におけるバンド取り付け構造について説明する。図３は、正面斜めから見た外装ケース、介在部材、及び第１のバンド部を示す分解斜視図である。図４は、背面斜めから見た外装ケース、介在部材、及び第１のバンド部を示す分解斜視図である。図５は、介在部材を示す斜視図である。図６は、第１のバンド部の取り付け構造を示す断面図であって、螺子を通る切断面で切り取った断面図である。図７は、第１のバンド部の取り付け構造を示す断面図であって、柱を通る切断面で切り取った断面図である。図８は、第１のバンド部の金属部品を示す図である。図９は、図８のＩＸ−ＩＸ断面図である。なお、第２のバンド部２２の取り付け構造は、第１のバンド部２１の取り付け構造と略同じであるため、その説明は省略する。
【００２８】
腕時計１は、上述の外装ケース１０及び装着バンド２０に加えて、介在部材３０を有する。介在部材３０は、腕時計１の外装の一部を構成すると共に、外装ケース１０と第１のバンド部２１との間に介在している。本実施形態において、介在部材３０は、外装ケース１０及び第１のバンド部２１と別体であり、外装ケース１０と第１のバンド部２１との間で共締めされている。なお、介在部材は、金属製であるとよい。ただし、これに限られるものではなく、介在部材３０は、セラミックや樹脂等からなるものであってもよい。
【００２９】
胴１１は、図１、図３に示すように、正面視において下方に突出する取り付け部１１１を下部に有している。取り付け部１１１は、図４に示すように、その背面に有底溝１１１ｂ、１１１ｄを有している。また、取り付け部１１１は、その背面に螺子が螺合される螺子溝１１１ａ、１１１ｃ、１１１ｅを有している。螺子溝１１１ａ、１１１ｃ、１１１ｅの内周面には雌螺子が切られている。
【００３０】
本実施形態においては、取り付け部１１１において、螺子溝と、有底溝とが、左右方向に交互に形成されている例を示す。具体的には、左方から右方に向けて、螺子溝１１１ａ、有底溝１１１ｂ、螺子溝１１１ｃ、有底溝１１１ｄ、螺子溝１１１ｅがこの順で並んで形成されている例について示す。ただし、螺子溝及び有底溝はそれぞれ少なくとも１以上形成されていればよく、また、並び順も本実施形態で示すものに限られるものではない。
【００３１】
第１のバンド部２１は、正面視において上方に突出する取り付け部２１１を上部（末端部）に有している。取り付け部２１１は、正面方向に貫通する貫通孔２１１ａ、２１１ｃ、２１１ｅを有している。また、取り付け部２１１は、その正面に有底溝２１１ｂ、２１１ｄを有している。貫通孔２１１ａ、２１１ｃ、２１１ｅは、螺子溝１１１ａ、１１１ｃ、１１１ｅとそれぞれ重なるように形成されている。
【００３２】
また、第１のバンド部２１の取り付け部２１１は、少なくとも一部に金属部品２１０を含むとよい。そして、貫通孔２１１ａ、２１１ｃ、２１１ｅ及び有底溝２１１ｂ、２１１ｄは、金属部品２１０に形成されているとよい。第１のバンド部２１は、例えば、金属部品２１０を覆うように樹脂を射出成形して構成されるものであるとよい。なお、金属部品２１０は、第１のバンド部２１の弾性材料からなる部分に完全に覆われていてもよいし、一部が弾性材料からなる部分から露出していてもよい。また、金属部品２１０は、図７に示すように、適宜凹部２１５が形成されているとよい。凹部２１５に樹脂材料が入り込むことにより、第１のバンド部２１の弾性材料からなる部分と、金属部品２１０との固定が安定することとなる。なお、図６〜図９に示す金属部品２１０は一例であって、他の形状であっても構わない。
【００３３】
介在部材３０は、正面方向に突出する円柱状の柱３１１、３１２と、背面方向に突出する円柱状の柱３１３、３１４とを有している。柱３１１は、外装ケース１０の有底溝１１１ｂに嵌り、柱３１２は、外装ケース１０の有底溝１１１ｄに嵌るように形成されている。柱３１３は、第１のバンド部２１の有底溝２１１ｂに嵌り、柱３１４は、第１のバンド部２１の有底溝２１１ｄに嵌るように形成されている。柱３１１、３１２の径と、有底溝１１１ｂ、１１１ｄの径は、略同じであることが好ましい。また、柱３１３、３１４の径と、有底溝２１１ｂ、２１１ｄの径は、略同じであることが好ましい。
【００３４】
また、介在部材３０は、貫通孔３１５ａ、３１５ｂ、３１５ｃを有している。貫通孔３１５ａ、３１５ｂ、３１５ｃは、第１のバンド部２１の貫通孔２１１ａ、２１１ｃ、２１１ｅ、及び外装ケース１０の螺子溝１１１ａ、１１１ｃ、１１１ｅにそれぞれ重なるように形成されている。
【００３５】
また、介在部材３０は、正面視において取り付け部１１１を左右方向で挟むように起立する左起立部３２Ｌ及び右起立部３２Ｒを有する。左起立部３２Ｌは、起立面３２Ｌａと、天面３２Ｌｂと、外装ケース１０と共に腕時計１の外装の一部を構成する外装面３２Ｌｃとを含む。同様に、右起立部３２Ｒは、起立面３２Ｒａと、天面３２Ｒｂと、外装ケース１０と共に腕時計１の外装の一部を構成する外装面３２Ｒｃとを含む。また、介在部材３０は、その下部に外装面３２Ｌｃと外装面３２Ｒｃとを繋ぐように左右方向に延びると共に、腕時計１の外装の一部を構成する外装面３０ａを有する。なお、左起立部３２Ｌ及び右起立部３２Ｒは、一般的なデザインの腕時計の外観における、先カンに対応する部分である。
【００３６】
また、図３に示すように、胴１１は、その側面に、左起立部３２Ｌの一部が嵌められる凹部１１２Ｌと、右起立部３２Ｒの一部が嵌められる凹部１１２Ｒとを有する。凹部１１２Ｌ及び凹部１１２Ｒは、取り付け部１１１に隣接して形成されているとよい。
【００３７】
左起立部３２Ｌは、凹部１１２Ｌの左側面１１２Ｌａに起立面３２Ｌａが接触し、凹部１１２Ｌの下面１１２Ｌｂに天面３２Ｌｂが接触するように、凹部１１２Ｌに嵌められる。同様に、右起立部３２Ｒは、凹部１１２Ｒの右側面１１２Ｒａに起立面３２Ｒａが接触し、凹部１１２Ｒの下面１１２Ｒｂに天面３２Ｒｂが接触するように、凹部１１２Ｒに嵌められる。このような構成により、介在部材３０に対する外装ケース１０の左右方向及び正面方向における位置が決められることとなる。
【００３８】
また、介在部材３０は、背面視において取り付け部２１１を左右方向で挟むように起立する左起立部３３Ｌ及び右起立部３３Ｒを有する。左起立部３３Ｌは、取り付け部２１１の左側面に接触する起立面３３Ｌａを含む。右起立部３３Ｒは、取り付け部２１１の右側面に接触する起立面３３Ｒａを含む。このような構成により、介在部材３０に対する第１のバンド部２１の左右方向における位置が決められることとなる。
【００３９】
上述のように、介在部材３０は、左部及び右部の正面及び背面に起立部がそれぞれ形成されることにより、中央部分より左部及び右部が肉厚となっている。すなわち、介在部材３０のうち左部及び右部よりも薄い中央部分に柱３１１〜３１４及び貫通孔３１５ａ〜３１５ｃが形成されている。このような構成により、介在部材３０の材料となる金属材から、柱３１１〜３１４の削り出しを無駄なく行うことができる。また、介在部材３０の中央部分の厚みが比較的薄いことより、貫通孔３１５ａ〜３１５ｃを容易に形成することができる。
【００４０】
また、図６に示すように、螺子５０Ｌが、貫通孔２１１ａ及び貫通孔３１５ａに挿通されると共に、螺子溝１１１ａに螺合されている。同様に、螺子５０Ｃは、貫通孔２１１ｃ及び貫通孔３１５ｂに挿通されると共に、螺子溝１１１ｃに螺合されている。同様に、螺子５０Ｒは、貫通孔２１１ｅ及び貫通孔３１５ｃに挿通されると共に、螺子溝１１１ｅに螺合されている。このような構成により、第１のバンド部２１は、介在部材３０を介して、外装ケース１０に対して固定されている。また、介在部材３０は、第１のバンド部２１と外装ケース１０との間で共締めされている。
【００４１】
弾性材料を含む装着バンド２０においては、バンド部が損傷等した場合に交換できることが好ましい。本実施形態においては、固定具として螺子を採用したことより、装着バンド２０の取り外しや交換が容易である。なお、本実施形態においては、装着バンド２０を固定する固定具を螺子と呼ぶが、螺子は、雌螺子が切られた溝に螺合されるボルトやビスなども含むものとする。
【００４２】
また、図７に示すように、柱３１１が有底溝１１１ｂに嵌ると共に、柱３１３が有底溝２１１ｂに嵌っている。同様に、柱３１２が有底溝１１１ｄに嵌ると共に、柱３１４が有底溝２１１ｄに嵌っている。
【００４３】
ここで、ユーザが自身の手首に対して腕時計１を着脱する際、図２等に示す矢印Ｒ方向に第１のバンド部２１を曲げることとなる。この際、外装ケース１０と第１のバンド部２１との取り付け部分に負荷（曲げ応力）が生じることとなる。特に、螺子５０Ｌが、螺子溝１１１ａ、貫通孔３１５ａ、及び貫通孔２１１ａの内周面から負荷を受けることとなる。螺子５０Ｃ、５０Ｒにおいても同様である。このような負荷を長期間に亘って受けると、螺子５０Ｌ、５０Ｃ、５０Ｒは劣化し、その寿命が短くなってしまう。
【００４４】
そこで、本実施形態においては、上述のように、介在部材３０に柱３１１〜３１４を設けた。このような構成により、第１のバンド部２１を曲げた際に、柱３１１が有底溝１１１ｂ、有底溝２１１ｂの内周面から負荷を受けることとなり、その分、螺子５０Ｌ、５０Ｃ、５０Ｒが受ける負荷が低減される。すなわち、螺子５０Ｌ、５０Ｃ、５０Ｒにかかる負荷が、柱３１１に分散される。柱３１２〜３１４も同様の効果を発揮する。
【００４５】
また、上述のように、本実施形態においては、左起立部３２Ｌ及び右起立部３２Ｒにより介在部材３０に対する外装ケース１０の左右方向における位置が決められている。そのため、外装ケース１０に対して左右方向に力が働いた場合において、左右方向における螺子５０Ｌ、５０Ｃ、５０Ｒにかかる負荷が抑制されることとなる。同様に、左起立部３３Ｌ及び右起立部３３Ｒにより介在部材３０に対する第１のバンド部２１の左右方向における位置が決められている。そのため、第１のバンド部２１に対して左右方向に力が働いた場合において、左右方向における螺子５０Ｌ、５０Ｃ、５０Ｒにかかる負荷が抑制されることとなる。
【００４６】
また、図８に示すように、本実施形態においては、有底溝２１１ｂ、２１１ｄの径ｒ２を、貫通孔２１１ａ、２１１ｃ、２１１ｅの径ｒ１よりも大きくした。すなわち、柱３１３、３１４の径を、螺子５０Ｌ、５０Ｃ、５０Ｒの螺子部（螺子の頭以外の部分）の径よりも大きくした。これにより、柱３１３、３１４が有底溝２１１ｂ、２１１ｄの内周面に接触する面積が大きくなり、第１のバンド部２１を曲げた際に生じる負荷が、より柱３１３、３１４に分散されやすくなる。すなわち、螺子５０Ｌ、５０Ｃ、５０Ｒが受ける負荷を小さくすることができる。その結果、螺子５０Ｌ、５０Ｃ、５０Ｒの劣化を抑制することができる。また、柱３１３、３１４の径を比較的大きくすることにより、柱３１３、３１４自体の強度を向上することにもなる。
【００４７】
なお、有底溝２１１ｂ、２１１ｄの開口面は円形であるものに限られるものではない。例えば、柱３１３、３１４を角柱とした場合、有底溝２１１ｂ、２１１ｄの形状を柱３１３、３１４に対応した形状とするとよい。この場合においては、有底溝２１１ｂ、２１１ｄの開口面の面積を、貫通孔２１１ａ、２１１ｃ、２１１ｅの開口面の面積よりも大きくするとよい。
【００４８】
また、有底溝２１１ｂ、２１１ｄは、貫通孔２１１ａ、２１１ｃ、２１１ｅよりも、第１のバンド部２１の先端側に形成されているとよい。図８においては、有底溝２１１ｂ、２１１ｄの開口の中心が、貫通孔２１１ａ、２１１ｃ、２１１ｅの開口の中心よりも、第１のバンド部２１の先端側に形成される例を示している。すなわち、柱３１３、３１４は、螺子５０Ｌ、５０Ｃ、５０Ｒよりも、第１のバンド部２１の先端側に設けられているとよい。第１のバンド部２１の先端側の方が曲り易く、第１のバンド部２１を曲げた際に生じる負荷は、先端側の方が大きくなる。すなわち、柱３１３、３１４に生じる負荷の方が、螺子５０Ｌ、５０Ｃ、５０Ｒに生じる負荷よりも大きくなる。その結果、螺子５０Ｌ、５０Ｃ、５０Ｒの劣化を抑制することができる。
【００４９】
また、図７に示すように、本実施形態においては、有底溝１１１ｂの径を、有底溝２１１ｂの径よりも小さくした。すなわち、有底溝１１１ｂの開口面の面積を、有底溝２１１ｂの開口面の面積よりも小さくした。有底溝１１１ｂの径を大きくすると、取り付け部１１１の肉厚が薄くなってしまい、取り付け部１１１の強度が低下してしまうためである。有底溝１１１ｂの径を比較的小さくすることにより、取り付け部１１１の強度を低下させることなく、取り付け部１１１を小型化することができる。取り付け部１１１を小型化することにより、すなわち、平面視における取り付け部１１１の上下方向の長さを短くすることにより、よりシンプルかつ美観性の高い腕時計１を提供することが可能となる。
【００５０】
また、上述のように、本実施形態においては、外装ケース１０と、介在部材３０を金属製とした。外装ケース１０は、表面が加工されているとよい。また、介在部材３０のうち少なくとも外装面３０ａ、３２Ｌｃ、３２Ｒｃは、外装ケース１０と異なる手法、種類等の表面加工が行われているとよい。すなわち、外装面３０ａ、３２Ｌｃ、３２Ｒｃは、外装ケース１０の表面と異なる質感や色等を有し、異なる表面状態であるとよい。また、介在部材３０のうち、外装面３０ａと、外装面３２Ｌｃと、外装面３２Ｒｃとが、互いに異なる質感や色を有し、異なる表面状態となっていてもよい。
【００５１】
なお、表面加工は、例えば、ヘアライン加工やスピン加工等の研磨加工や、薄膜を表面に成膜するメッキ加工等であるとよい。これにより、腕時計１は、光沢や立体感を有したり、見る角度によって異なる表情を醸し出したりすることとなる。
【００５２】
ここで、デザイン性の観点から、腕時計１の外装において部分的に異なる質感や色を施そうとした場合、例えば、マスクを配置した状態で表面加工を行い、その後、マスクを配置した領域以外の領域にマスクを配置し、先に行った表面加工と異なる表面加工を行うことが考えられる。
【００５３】
本実施形態においては、外装ケース１０と、介在部材３０とは、別体であるため、それぞれに対して異なる表面加工を行った後、組み立て作業を行うとよい。そのため、表面加工の工程を簡易にすると共に、デザインバリエーションを拡大することが可能となる。また、介在部材３０を交換するだけで、容易にデザインバリエーションを拡大することが可能となる。また、マスク等を用いての表面加工が不要となり、外装ケース１０及び介在部材３０の外装面３０ａ、３２Ｌｃ、３２Ｒｃを奇麗に仕上げることが可能となる。
【００５４】
なお、外装ケース１０の表面と、介在部材３０の外装面３０ａ、３２Ｌｃ、３２Ｒｃの双方に加工を行ってもよいし、いずれか一方の表面に加工を行い、他の表面には加工を行わなくてもよい。例えば、介在部材３０の外装面３０ａ、３２Ｌｃ、３２Ｒｃにのみ、デザイン上のアクセントとなるような加工を行うとよい。いずれにしても、外装ケース１０の表面と介在部材３０の外装面３０ａ、３２Ｌｃ、３２Ｒｃの表面状態を異ならせることにより、美観性を向上することが可能となる。
【００５５】
また、本実施形態においては、螺子５０Ｌ、５０Ｃ、５０Ｒ等の固定具が、正面方向又は左右方向から見た際の外観に表れないため、シンプルなデザインを実現することができる。また、螺子５０Ｌ、５０Ｃ、５０Ｒを背面方向から挿通する構成を採用したことより、左右方向からピン等の固定具を挿通する構成と比較して、ピンを挿通するピン孔等を左右側面に形成する必要がない分、取り付け部１１１の上下方向における長さを短くできる。これにより、よりシンプルかつ美観性の高い腕時計１を提供することが可能となる。
【００５６】
また、仮に、外装ケース１０と介在部材３０とを一体とした外装ケースを採用した場合、該外装ケースに柱３１３、３１４を形成する必要が生じるが、介在部材３０よりも大きく、かつ構造の複雑な外装ケースに柱３１３、３１４を形成することは困難である。本実施形態においては、外装ケース１０に柱を形成する必要がなく、製造が容易である。
【００５７】
また、仮に、外装ケース１０と介在部材３０とを一体とした外装ケースを採用した場合、外装ケース１０に柱を形成する必要が生じるが、当該柱が破損等してしまった場合、外装ケース１０を交換する必要が生じてしまう。本実施形態においては、仮に、柱３１３、３１４が破損してしまった場合であっても、介在部材３０を交換するだけで、柱３１３、３１４が破損していない元の状態に戻すことが可能となる。
【００５８】
また、仮に、介在部材３０に柱３１１〜３１４を設けず、５本の螺子を用いて、第１のバンド部２１を介して外装ケース１０に固定する場合、第１のバンド部２１の取り付け部２１１に５つの貫通孔を形成する必要が生じる。貫通孔の数が多くなるほど、第１のバンド部２１の強度が低下することとなる。本実施形態においては、取り付け部２１１に、貫通孔だけではなく、底の部分が繋がった有底溝を形成する構成を採用するため、第１のバンド部２１の強度が低下することが抑制されている。
【００５９】
また、上述のように、本実施形態において、貫通孔２１１ａ、２１１ｃ、２１１ｅ及び有底溝２１１ｂ、２１１ｄは、第１のバンド部２１に含まれる金属部品２１０に形成されている。すなわち、図６に示すように、螺子５０Ｌ、５０Ｃ、５０Ｒの頭は、剛性の高い金属部品２１０に接触している。このため、螺子５０Ｌ、５０Ｃ、５０Ｒは強固に締結されることとなる。また、柱３１３、３１４は、剛性の高い金属部品２１０に接触している。このため、介在部材３０に対する第１のバンド部２１の姿勢が安定することとなる。
【００６０】
なお、本実施形態においては、介在部材３０が柱３１３、３１４を有する例について示したが、これに限られるものではなく、第１のバンド部２１が、正面方向に突出する柱を有するものであってもよい。この場合、介在部材３０が、第１のバンド部２１が有する柱が嵌る有底溝を有するとよい。このような構成においても、螺子に生じる負荷を柱に分散することができ、螺子が劣化することを抑制することができる。
【００６１】
また、本実施形態においては、介在部材３０が、正面方向に突出する柱３１１、３１２と、背面方向に突出する柱３１３、３１４を有する例について示したが、これに限られるものではなく、正面方向又は背面方向のいずれかに突出する柱のみを有する構成であっても構わない。
【００６２】
また、本実施形態においては、第１のバンド部２１及び第２のバンド部２２が、弾性を有する材料を含む例について説明したが、これに限られるものではなく、第１のバンド部２１及び第２のバンド部２２は金属製であってもよい。
【００６３】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００６４】
１  腕時計、１０  外装ケース、１１  胴、１１１  取り付け部、１１１ａ，１１１ｃ，１１１ｅ  螺子溝、１１１ｂ，１１１ｄ  有底溝、１２  裏蓋、２０  装着バンド、２１  第１のバンド部、２１０  金属部品、２１１  取り付け部、２１１ａ，２１１ｃ，２１１ｅ  貫通孔、２１１ｂ，２１１ｄ  有底溝、２２  第２のバンド部、３０  介在部材、３０ａ  外装面、３１１〜３１４  柱、３１５ａ〜３１５ｃ  貫通孔、３２Ｌ  左起立部、３２Ｌａ  起立面、３２Ｌｂ  天面、３２Ｌｃ  外装面、３２Ｒ  右起立部、３２Ｒａ  起立面、３２Ｒｂ  天面、３２Ｒｃ  外装面、３３Ｌ  左起立部、３３Ｒ  右起立部、５０Ｌ，５０Ｃ，５０Ｒ  螺子。
【図１】
2020191941.tif 000003
【図２】
2020191941.tif 000004
【図３】
2020191941.tif 000005
【図４】
2020191941.tif 000006
【図５】
2020191941.tif 000007
【図６】
2020191941.tif 000008
【図７】
2020191941.tif 000009
【図８】
2020191941.tif 000010
【図９】
2020191941.tif 000011